(57)【要約】【課題】燃料種が変更になった場合でも、ハードの改造，制御ソフトの大幅な変更，再調整試験等を不要とし、コストの低減，生産性の向上、運転時における信頼性の向上等を図った水素製造装置を提供する。【解決手段】炭化水素を主成分とする原燃料ガスを、水蒸気により改質する改質器と、発生水素を利用する水素利用設備において必要とする水素量に応じて、改質器に導入する原燃料ガス量を調節する原燃料ガス流量調節器とを有し、かつ、原燃料ガス種の切替え運転を可能に構成した水素製造装置において、前記原燃料ガス流量調節器は、各原燃料ガス種について、改質時の運転条件（改質温度および改質圧力）に基づいて予め求めた原燃料ガス流量と発生水素量との関係の相関に基づいて、原燃料ガスを切替えた際の切替え後の原燃料ガス流量を演算し、この演算値に基づいて、原燃料ガス流量を調節する機能を備える。【選択図】　　　　図１
2004115326.tif 000002
【特許請求の範囲】
【請求項１】
都市ガス，天然ガス，ＬＮＧ，ＬＰＧ，メタノールなどの炭化水素を主成分とする原燃料ガスを、触媒の存在下で水蒸気（スチーム）により水素リッチなガスに改質する改質器と、この改質器で発生した水素を利用する水素利用設備において必要とする水素量に応じて、前記改質器に導入する原燃料ガス量を調節する原燃料ガス流量調節器とを有し、かつ、前記原燃料ガスを少なくとも２種類用いて、原燃料ガスの切替え運転を可能に構成した水素製造装置において、
前記原燃料ガス流量調節器は、前記少なくとも２種類の各原燃料ガスについて、改質時の運転条件（改質温度および改質圧力）に基づいて予め求めた原燃料ガス流量と発生水素量との関係の相関に基づいて、原燃料ガスを切替えた際の切替え後の原燃料ガス流量を演算し、この演算値に基づいて、前記原燃料ガス流量を調節する機能を備えることを特徴とする水素製造装置。
【請求項２】
請求項１に記載の水素製造装置において、前記原燃料ガス流量調節器は、原燃料ガス流量制御弁と、この原燃料ガス流量制御弁の開度を調節する制御装置とを有し、前記制御装置は、前記少なくとも２種類の各原燃料ガスについて、予め求めた原燃料ガス流量と発生水素量との関係の相関に基づいて、原燃料ガスを切替えた際の切替え後の原燃料ガス流量を演算し、この演算値に基づいて、前記原燃料ガス流量制御弁の開度を調節する機能を備え、かつ、前記開度の調節に際して、真の流量を求めるために切替原燃料ガスの密度に応じて流量の換算を行ない、この換算値に基づき開度を調節する密度補正機能を備えることを特徴とする水素製造装置。
【請求項３】
請求項２に記載の水素製造装置において、前記原燃料ガス流量調節器は、さらに燃料ガス流量計を備え、前記真の流量を求めるための流量の換算を行なう前記密度補正制御機能は、前記開度調節による密度補正に代えて、前記燃料ガス流量計の切替原燃料ガスの密度に応じた計測値の変更に基づき、前記流量計の流量設定値と計測値とを一致させる制御により行うものとすることを特徴とする水素製造装置。
【請求項４】
請求項１ないし３のいずれかに記載の水素製造装置において、前記水素利用設備は、燃料電池発電装置とすることを特徴とする水素製造装置。
【請求項５】
請求項１ないし３のいずれかに記載の水素製造装置において、前記水素利用設備は、その前段に、前記改質ガスを加圧する改質ガス圧縮機と、この加圧改質ガスから水素を分離精製する圧力スイング吸着装置（ＰＳＡ）とを備えることを特徴とする水素製造装置。
【発明の詳細な説明】
【０００１】
【発明の属する技術分野】
この発明は、炭化水素系原燃料ガスを少なくとも２種類用いて、原燃料ガスの切替え運転を可能に構成した水素製造装置に関する。
【０００２】
【従来の技術】
雰囲気ガスとして水素を用いる工業用装置や燃料電池発電プラントなどにおいては、水素製造装置が必要である。従来、水素製造装置の一つとして、天然ガス，ＬＮＧ，ＬＰＧ，メタノールなどの原料ガスを水蒸気とともに触媒層を通過させることにより水素リッチな改質ガスを生成する改質器と、改質ガスから水素を分離精製する圧力スイング吸着装置（ＰＳＡ）とで構成した水素製造装置が採用されている。
【０００３】
前記装置においては、前記改質器に原燃料ガスおよび水蒸気を供給するための原燃料ガス供給ラインおよびスチーム供給ラインと、前記各ラインに設けられた原燃料ガス流量制御弁およびスチーム流量制御弁と、予め設定したＳ／Ｃ（原燃料ガス中の炭素原子に対するスチームのモル数比）となるように、水素負荷に応じて前記原燃料ガス流量制御弁およびスチーム流量制御弁の開度を調節する調節器とを備える（例えば、後記の特許文献１参照）。
【０００４】
図３は、前記水素製造装置と同様の水素製造装置の概略構成を示し、特許文献１に記載された装置を、後述するこの発明の説明の便宜上、簡略化して示す。図３に示す水素製造装置は、炭化水素（燃料ガス）、例えばメタンガス（ＣＨ４）を水蒸気改質して水素を主成分（７０〜８０％）とする改質ガスを生成する改質系ユニット２０と、その改質ガスを約０．９ＭＰａＧまで昇圧する改質ガス圧縮機２５と、その圧縮された改質ガスから高純度の水素（約９９．９９９％）を取り出すＰＳＡ（Ｐｒｅｓｓｕｒｅ　Ｓｗｉｎｇ　Ａｄｓｏｒｐｔｉｏｎ）ユニット３０とからなる。
【０００５】
前記改質系ユニット２０は、燃料ガス中の硫黄成分を除去する脱硫器８と、脱硫された炭化水素系燃料ガスと水蒸気とを所定の割合（所定のＳ／Ｃ）で混合するエジェクタ７と、改質器９と、改質ガス中のＣＯをＣＯ２に変換するＣＯ変成器１０と、改質ガスを冷却する冷却器２１と、気水分離器２２等を備える。また、前記ＰＳＡユニット３０は、圧力スイング吸着装置（ＰＳＡ）３１と、オフガスタンク３２と、オフガス循環ブロワ３３等を備える。
【０００６】
この装置の水素製造量は、改質系ユニット２０で発生する水素量で決まり、この発生水素量を制御することで装置の負荷制御を行っている。
【０００７】
改質系ユニット２０で水素を発生させる部分は、改質器９とＣＯ変成器１０であり、改質器９では、以下の（１）と（２）の反応が起こり、水素を主成分とする改質ガスが生成され、この改質ガスがＣＯ変成器１０に送られ（２）の反応により更に水素が生成され，改質ガス圧縮機２５へ導入される。
【０００８】
ＣＨ４＋Ｈ２Ｏ→ＣＯ＋３Ｈ２　　−−−−−−−−−（１）
ＣＯ＋Ｈ２Ｏ→ＣＯ２＋Ｈ２　　　−−−−−−−−−（２）
次に、原燃料ガスを２種類用いて、原燃料ガスの切替え運転を可能に構成した水素製造装置を利用する燃料電池発電装置の従来例について述べる。
【０００９】
前記燃料電池発電装置は、都市ガス，天然ガス，ＬＮＧ，ＬＰＧ，メタノール等の炭化水素系改質原燃料を、水蒸気改質して得られた改質ガス中の水素と、空気中の酸素とを、燃料電池本体の燃料極および空気極にそれぞれ供給し、電気化学反応に基づいて発電を行うもので、原燃料を改質する改質装置としては、原燃料に水を加えて加熱し、水蒸気と原燃料を触媒を用いて水素リッチなガスに改質する水蒸気改質反応を利用したものがよく知られている。
【００１０】
近年、原燃料切替設備を有する燃料電池発電装置、例えば、都市ガスが遮断された場合でも備蓄してあるＬＰＧ等で燃料電池の運転を継続するシステムや、産業廃棄物，家庭用生ごみ，し尿処理等で発生した消化ガスを有効利用するために，この消化ガスと都市ガスとを交互に利用して燃料電池の連続運転を行う燃料切替えシステムの開発が進められている。
【００１１】
本件出願人は、運転を停止することなく燃料Ａから、組成の異なる燃料Ｂへ燃料を切替える際に燃料電池における水素不足や水素過剰，およびＳ／Ｃ異常が生ずることのない安定した運転が可能な、原燃料切替設備を有する燃料電池発電装置とその運転方法に関して、後記の特許文献２により出願している。
【００１２】
図４は、前記特許文献２に記載された２系統の燃料を利用する原燃料切替設備を有する燃料電池発電装置の概略構成の一例を示す。図４において、図３に示した部材と同一機能部材には、同一番号を付して示す。図４において、１は燃料Ａの遮断弁、２は燃料Ａの流量調節弁、３は燃料Ａの流量計、４は燃料Ｂの遮断弁、５は燃料Ｂの流量調節弁、６は燃料Ｂの流量計、７はスチームエゼクタ、８は脱硫器、９は改質器、１０はＣＯ変成器、１１は燃料電池本体、１２は原燃料切替制御装置である。
【００１３】
上記原燃料切替制御装置１２は、図示しない下記の手段を備える。即ち、原燃料ガスの切替指令に基づき前記燃料Ａ遮断弁および燃料Ｂ遮断弁がそれぞれ所定の開閉操作をするための遮断弁駆動手段と、前記原燃料ガスを燃料Ａから燃料Ｂに切替える際に，燃料Ｂの切替開始時の流量を，切替前の燃料Ａの流量と同一流量となるようにし，その後は，燃料Ｂの供給流量を，前記改質器出口の改質ガス中の水素ガス量が切替前と略同一となるように，あらかじめシミュレーションにより求めた所定の流量に変化させて燃料Ｂを供給し，前記改質器出口部において燃料Ａの燃料Ｂによるガス置換が完了する所定時間後に，燃料Ｂの供給流量を，燃料Ｂの組成に適した所定の最適流量に調節するための燃料Ｂ流量調節弁の開度制御手段と、前記原燃料ガスを燃料Ｂから燃料Ａに再度切替える場合に備えて，燃料Ａの流量を燃料Ｂの前記最適流量と同一流量で供給開始可能となるようにし，その後は，燃料Ａの供給流量を，前記改質器出口の改質ガス中の水素ガス量が切替前と略同一となるように，あらかじめシミュレーションにより求めた所定の流量に変化させて燃料Ａを供給し，前記改質器出口部において燃料Ｂの燃料Ａによるガス置換が完了する所定時間後に，燃料Ａの供給流量を，燃料Ａの組成に適した所定の最適流量に調節スタンバイを行うための燃料Ａの流量調節弁の開度制御手段とを備える。
【００１４】
上記装置によれば、切替初期において、切替前の流量がそのまま継続され、その後はシミュレーションの結果を反映した原料ガスの供給が確保されるので、原燃料不足に伴う燃料電池における水素不足や水素過剰，Ｓ／Ｃ異常などが生ずることはなく、安定した燃料電池発電装置の運転が継続できる（詳細は、特許文献２参照）。
【００１５】
【特許文献１】
特開２００２−５３３０７号公報（第１−２頁、図４）
【特許文献２】
特開２００１−２８２７０号公報（第４−６頁、図１）
【００１６】
【発明が解決しようとする課題】
上述のとおり、炭化水素系原燃料ガスを少なくとも２種類用いて、原燃料ガスの切替え運転を可能に構成した水素製造装置においては、前記特許文献２に記載されたように、燃料Ａから燃料Ｂヘの燃料切替をスムーズに行うために、燃料Ｂ用の流量調節弁および流量計が、燃料Ａ用に加えて装備されており、設備コストとメンテナンスを含む設備管理上、好ましくない問題があった。
【００１７】
特に、燃料電池発電装置に利用する場合に、発電装置のパッケージは、設置面積の制約から、コンパクト化を図ることが要請されているため、燃料Ａおよび燃料Ｂの２系統の流量調節弁および流量計を装備すると、パッケージ内の機器，配管レイアウト等が、燃料切替を行わない通常の燃料電池発電装置とは大きく異なることとなる。そのため、工場における燃料電池発電装置の生産において、非燃料切替機と燃料切替機の２種類が存在することとなり、生産管理上好ましくない問題がある。
【００１８】
また、高価な流量調節弁，流量計を２系統装備することとなるため、その分コスト高となる問題があった。さらに、既設の非燃料切替機を、顧客の要求により燃料切替機に変更する場合には、既設設備に多くの改造を加える必要が生ずるので、改造コストが高くなる問題がある。
【００１９】
さらにまた、燃料Ｂを非常用燃料として利用する設備の場合には、常時は使用していない燃料Ｂの流量調節弁および流量計の健全性を定期点検等で確認し、非常時の信頼性確保に備える必要があり、そのメンテナンス性が問題となる。
【００２０】
また、従来の水素製造装置においては、燃料種が変更となった場合、前述のように、燃料流量計等を仕様変更したものに交換した上で、制御ソフトに関しても燃料種に合わせて作成し直し、負荷制御及び燃料ガス流量制御を行っていた。
【００２１】
さらに、燃料ガス流量制御に関しては、この制御を起点に、改質器用バーナーにおける燃焼用燃料ガス流量制御、燃焼用空気流量制御、改質器温度制御等を行うため、前記制御ソフトの変更に伴い、再度の調整試験が必要であり多くの時間と費用が発生していた。
【００２２】
この発明は、上記問題点を解消するためになされたもので、この発明の課題は、
燃料種が変更になった場合でも、ハードの改造，制御ソフトの大幅な変更，再調整試験等を不要とし、コストの低減，生産性の向上、運転時における信頼性の向上等を図った水素製造装置を提供することにある。
【００２３】
【課題を解決するための手段】
前述の課題を解決するために、この発明は、都市ガス，天然ガス，ＬＮＧ，ＬＰＧ，メタノールなどの炭化水素を主成分とする原燃料ガスを、触媒の存在下で水蒸気（スチーム）により水素リッチなガスに改質する改質器と、この改質器で発生した水素を利用する水素利用設備において必要とする水素量に応じて、前記改質器に導入する原燃料ガス量を調節する原燃料ガス流量調節器とを有し、かつ、前記原燃料ガスを少なくとも２種類用いて、原燃料ガスの切替え運転を可能に構成した水素製造装置において、前記原燃料ガス流量調節器は、前記少なくとも２種類の各原燃料ガスについて、改質時の運転条件（改質温度および改質圧力）に基づいて予め求めた原燃料ガス流量と発生水素量との関係の相関に基づいて、原燃料ガスを切替えた際の切替え後の原燃料ガス流量を演算し、この演算値に基づいて、前記原燃料ガス流量を調節する機能を備えるものとする（請求項１の発明）。
【００２４】
上記請求項１の発明の実施態様としては、下記請求項２ないし３の発明が好ましい。即ち、前記請求項１に記載の水素製造装置において、前記原燃料ガス流量調節器は、原燃料ガス流量制御弁と、この原燃料ガス流量制御弁の開度を調節する制御装置とを有し、前記制御装置は、前記少なくとも２種類の各原燃料ガスについて、予め求めた原燃料ガス流量と発生水素量との関係の相関に基づいて、原燃料ガスを切替えた際の切替え後の原燃料ガス流量を演算し、この演算値に基づいて、前記原燃料ガス流量制御弁の開度を調節する機能を備え、かつ、前記開度の調節に際して、真の流量を求めるために切替原燃料ガスの密度に応じて流量の換算を行ない、この換算値に基づき開度を調節する密度補正機能を備えるものとする（請求項２の発明）。
【００２５】
また、前記請求項２に記載の水素製造装置において、前記原燃料ガス流量調節器は、さらに燃料ガス流量計を備え、前記真の流量を求めるための流量の換算を行なう前記密度補正制御機能は、前記開度調節による密度補正に代えて、前記燃料ガス流量計の切替原燃料ガスの密度に応じた計測値の変更に基づき、前記流量計の流量設定値と計測値とを一致させる制御により行うものとする（請求項３の発明）。
【００２６】
上記請求項１ないし３の発明によれば、燃料種が変更になっても、ハードの改造は不要であるし、制御ソフトに関しても、例えば、燃料種Ａで製作したままの状態で、燃料種ＡとＢの関係式ソフト及び燃料ガス流量補正ソフトの追加のみで装置の制御が可能となる。これは燃料種が更に他の炭化水素（例えばＣ，Ｄ，Ｅ）に変わっても同様な処理で対応可能である。これにより、コストの低減，生産性の向上等を図ることができる。
【００２７】
さらに、前記発明の利用は、水素利用設備としての燃料電池や工業用設備において好適であり、この観点から、下記請求項４ないし５の発明が好ましい。即ち、前記請求項１ないし３のいずれかに記載の水素製造装置において、前記水素利用設備は、燃料電池発電装置とする（請求項４の発明）。
【００２８】
また、前記請求項１ないし３のいずれかに記載の水素製造装置において、前記水素利用設備は、その前段に、前記改質ガスを加圧する改質ガス圧縮機と、この加圧改質ガスから水素を分離精製する圧力スイング吸着装置（ＰＳＡ）とを備えるものとする（請求項５の発明）。
【００２９】
【発明の実施の形態】
図面に基づき、本発明の実施例について以下にのべる。
【００３０】
図１は、本発明の実施例を示す図であり、図３と同じ機能を有する構成部材には同一の番号を付して詳細説明を省略する。図１が図３と異なる点は、図１においては、前記機能を備えた原燃料ガス流量調節器４０を設けた点である。
【００３１】
図１における原燃料ガス流量調節器４０は、請求項３の発明に関わる制御装置１２ａと、原燃料ガス流量制御弁２ａと、燃料ガス流量計３ａとを備える実施例を示す。
【００３２】
図１の実施例について、例えば、燃料種Ａを都市ガス１３Ａ、燃料種Ｂを天然ガス（ＮＧ）とし、前記各燃料種が、以下の表１に示す組成を有すると仮定した場合の原燃料ガス流量の制御例について、以下に述べる。
【００３３】
【表１】
2004115326.tif 000003
前述のように、前記原燃料ガス流量調節器４０は、前記２種類Ａ，Ｂの各原燃料ガスについて、改質時の運転条件（改質温度および改質圧力）に基づいて予め求めた原燃料ガス流量と発生水素量との関係の相関に基づいて、原燃料ガスを切替えた際の切替え後の原燃料ガス流量を演算し、この演算値に基づいて、前記原燃料ガス流量を調節する機能を備えるが、前記原燃料ガス流量と発生水素量との関係について、以下に具体例を述べる。
【００３４】
まず、燃料種Ａ，Ｂ各々について、Ｓ／Ｃ、改質器改質温度（触媒層出口温度）、改質器圧力、ＣＯ変成器変成温度（触媒層出口温度）、ＣＯ変成器圧力を決め、前記（１）（２）の各反応の平衡定数から平衡ガス組成を求める。
【００３５】
実機の改質器は、長期安定運転を可能とするため試験機とは異なり、触媒充填量に余裕を持たせた設計とすることが一般的であり、構造上伝熱律速となるため、触媒層出口温度における平衡ガス組成に達することが分かっており、改質器出口ガス組成を正確に計算することが可能である。
【００３６】
また、ＣＯ変成器に関しても、同様に触媒充填量に余裕を持たせた設計とするため、触媒層出口温度における平衡ガス組成に達することが分かっており、ＣＯ変成器出口ガス組成を正確に計算することも可能である。
【００３７】
例えば、Ｓ／Ｃ＝３．０で、改質器触媒層出口温度７００℃、改質器圧力１３０ｋＰａ（ａｂｓ）、ＣＯ変成器触媒層出口温度１６５℃、ＣＯ変成器圧力１２３ｋＰａ（ａｂｓ）とした場合の１３Ａ及びＮＧの水素発生量を平衡定数から計算すると図２のようになる。
【００３８】
図２に示すように、１３Ａ流量＝ＹＡおよびＮＧ流量＝ＹＢと、発生水素流量＝Ｘとの関係は、下記（３）および（４）となる。
【００３９】
ＹＡ＝０．２５６１Ｘ−０．７１８７　−−−−−−−−−−−−（３）
ＹＢ＝０．２９７６Ｘ−０．８９９２　−−−−−−−−−−−−（４）
上記（３）および（４）式よりＸを消去して、下記（５）式の相関を得る。
【００４０】
ＹＡ＝０．８６０５５ＹＢ＋０．０５５１　−−−−−−−−−−−（５）
次に、上記相関に基づいて切替原燃料ガス流量を制御する方法、ならびに原燃料ガス流量制御弁２ａおよび燃料ガス流量計３ａを用いる場合の密度制御補正方法等について、以下に述べる。
【００４１】
図１におけるＰＳＡユニット３０は、それを構成する吸着剤を充填した吸着塔（ＰＳＡ３１）の数によって吸着可能な不純物、即ち、Ｈ２Ｏ，ＣＯ２，ＣＯ，ＣＨ４の量が異なり、回収率も異なってくる。回収率とは、ＰＳＡ３１に投入した水素のうち製品ガスとしてとりだすことのできる水素の割合をいう。
【００４２】
上記ＰＳＡユニットの特性を考慮して、仮に４塔式で回収率７５％とすると、１００Ｎｍ３／ｈの水素を製造する場合には、ＰＳＡ３１に投入する水素量は、１００Ｎｍ３／ｈ／０．７５＝１３３Ｎｍ３／ｈ必要となる。この場合、図２より、１３Ａ燃料の時には燃料流量は３３Ｎｍ３／ｈとなる。また、ＮＧの時には３９Ｎｍ３／ｈとなる。そこで、制御ソフトとしては、１００Ｎｍ３／ｈの水素製造量を得るためには、燃料流量３３Ｎｍ３／ｈをセット値とするように、１３Ａベースで作成しておく。
【００４３】
一方、燃料ガス流量計３ａを、測定差圧から換算するオリフィス流量計であって、１３Ａベースで作製した場合、１３ＡからＮＧに燃料種を変更した際に、ＮＧの流量を正確に測定するためには、前記密度補正が必要となる。１３Ａ燃料で２５℃、２．５ｋＰａＧの時の密度は０．８０５ｋｇ／ｍ３であり、ＮＧ燃料で２５℃、２．５ｋＰａＧの時の密度は０．６９０ｋｇ／ｍ３となる。即ち、ＮＧ真流量（ＹＢ）＝ＮＧ見掛け流量×√０．８０５／√０．６９０となる。
【００４４】
また、ＮＧ真流量（ＹＢ）を前記（５）式に代入して相当１３Ａ流量（ＹＡ）を求め、このプロセス値（ＹＡ）と前記セット値３３Ｎｍ３／ｈとの乖離を比較して原燃料ガス流量制御弁２ａの操作量を決定し、セット値とプロセス値が一致するように制御する。
【００４５】
圧力、温度、流量等の異なる他の負荷帯についても、１３Ａベースの制御ソフトで同様な制御が可能である。
【００４６】
上記のように、図２のような発生水素量に対する各燃料種の流量の関係を導き出しておけば、ある燃料種で制御ソフトを作成しておいて燃料種が変更になったとしても、測定流量に対する密度補正部と燃料種換算流量部を追加するのみでハードの改造も必要なく水素製造装置を運転することが可能となる。
【００４７】
即ち、表１に示した都市ガス１３Ａで燃料ガス流量計を設計し、制御ソフトを作成して、組成の異なる例えば表１に示した天然ガスに使用燃料を変更した場合でも、燃料ガス流量計を交換することなく、また燃料流量補正部と燃料種流量換算部を追加するだけで簡単に水素製造装置の運転が可能となる。
【００４８】
【発明の効果】
上記のとおり、この発明によれば、都市ガス，天然ガス，ＬＮＧ，ＬＰＧ，メタノールなどの炭化水素を主成分とする原燃料ガスを、触媒の存在下で水蒸気（スチーム）により水素リッチなガスに改質する改質器と、この改質器で発生した水素を利用する水素利用設備において必要とする水素量に応じて、前記改質器に導入する原燃料ガス量を調節する原燃料ガス流量調節器とを有し、かつ、前記原燃料ガスを少なくとも２種類用いて、原燃料ガスの切替え運転を可能に構成した水素製造装置において、前記原燃料ガス流量調節器は、前記少なくとも２種類の各原燃料ガスについて、改質時の運転条件（改質温度および改質圧力）に基づいて予め求めた原燃料ガス流量と発生水素量との関係の相関に基づいて、原燃料ガスを切替えた際の切替え後の原燃料ガス流量を演算し、この演算値に基づいて、前記原燃料ガス流量を調節する機能を備えるものとしたので、
燃料種が変更になった場合でも、ハードの改造，制御ソフトの大幅な変更，再調整試験等を不要とし、コストの低減，生産性の向上、運転時における信頼性の向上等を図ることができる。
【図面の簡単な説明】
【図１】この発明の水素製造装置の実施例を示す模式的系統図
【図２】発生水素流量と燃料流量との関係の一例を示す図
【図３】従来の水素製造装置の一例を示す模式的系統図
【図４】燃料電池発電装置に利用した従来の水素製造装置の一例を示す模式的系統図
【符号の説明】
２ａ：原燃料ガス流量制御弁、３ａ：燃料ガス流量計、７：スチームエジェクタ、８：脱硫器、９：改質器、１０：ＣＯ変成器、１１：燃料電池本体、１２ａ：制御装置、２０：改質系ユニット、３０：ＰＳＡユニット、２５：改質ガス圧縮機、３１：ＰＳＡ、４０：原燃料ガス流量調節器。
【図１】
2004115326.tif 000004
【図２】
2004115326.tif 000005
【図３】
2004115326.tif 000006
【図４】
2004115326.tif 000007